(57)【要約】【課題】  本考案は、１人の者が保管庫の連結及び組み立てを迅速かつ確実に行うことができる手段を提供することを目的とする。【解決手段】  本考案は、左右両側部に立設する側板１，７の後側端面部２，８の上下両側部に通孔３，３又は掛止め爪９，９をそれぞれ相対位置に設け、前記左右両側板の後側端面部の通孔又は掛止め爪に掛合する掛止め爪６，６又は通孔３，３を左右両端面部に設けた背側板４・・及び隣接する背側板の左右両端面部に設けた通孔又は掛止め爪に掛合する背側板から成るものである。【選択図】  図１
0003127115.tif 000002
【実用新案登録請求の範囲】
【請求項１】
左右両側部に立設する側板の後側端面部の上下両側部に通孔又は掛止め爪をそれぞれ相対位置に設け、前記左右両側板の後側端面部の通孔又は掛止め爪に掛合する掛止め爪又は通孔を左右両端面部に設けた背側板及び隣接する背側板の左右両端面部に設けた通孔又は掛止め爪に掛合する背側板から成ることを特徴とする穀物保管庫。
【考案の詳細な説明】
【技術分野】
【０００１】
本考案は、米その他穀物類の保管庫に関するものである。
【背景技術】
【０００２】
わが国の農家においては、米その他各種の穀物を保管するための保管庫を用意しているが、購入した組立て式保管庫を各農家において組み立てる作業をするに際し、従来では、左右両側板,背側板,扉板を連結するためには、各板を保持する者と挿入する者との最低２人が必要となっていたし、次に示す特許文献に見られるようにその連結組み立てのための部品も多くかつ手数と労力の負担がかかる保管庫しか存しなかったのである。
【０００３】
【特許文献１】特開２０００−１７５５５３号公報
【考案の開示】
【考案が解決しようとする課題】
【０００４】
そこで、本考案は１人の者がワンタッチで保管庫の連結及び組み立てを迅速かつ確実に行うことができる手段を提供することを目的とするものである。
【課題を解決するための手段】
【０００５】
本考案は、左右両側部に立設する側板の後側端面部の上下両側部に通孔又は掛止め爪をそれぞれ相対位置に設け、前記左右両側板の後側端面部の通孔又は掛止め爪に掛合する掛止め爪又は通孔を左右両端面部に設けた背側板及び隣接する背側板の左右両端面部に設けた通孔又は掛止め爪に掛合する背側板から成るものである。
【考案の効果】
【０００６】
このような構成の板であるため、保管庫全体の連結組み立ては一人によって簡単かつ迅速に行うことができるようになり、利用者にとってきわめて有利な構造の保管庫となる。
【０００７】
したがって、特別な部品も不要であり、製造コストも安価にできるから、農家にとっては購入し易い保管庫である。
【考案を実施するための最良の形態】
【０００８】
農家において１人で各板部材を立て、各板の相対位置にある通孔に掛止め爪を掛合するだけで連結ができ、保管庫全体の組み立てがユーザーフレンドリーなものとなっている。
【実施例】
【０００９】
１は所定大きさに成る左側板で、この左側板の反対側には後記右側板７を用意する。
【００１０】
２は前記左側板１の後側端面部で、この後側端面部の上下両側部には適当長さの通孔３，３を設ける。
【００１１】
４・・は前記左側板１に隣接する直角部及び並列に配置する背側板で、この背側板の一端面部５の上下両側部には、前記左側板１の端面部に設けた通孔３，３に相対位置に掛止め爪６，６を設け、または隣接する背側板４の端面部の相対する位置に通孔３，３を設ける。
【００１２】
前記背側板４は、その一端面部には通孔３，３を、他端面部には掛止め爪６，６を設けた同一形状のものを用意し、保管庫の背面部を構成するために必要枚数を並列に連結することになる。即ち、農家においては、保管収容する穀物袋の数量に合わせて背側板の枚数を変更し、保管庫全体の容積を６俵用，９俵用，１２俵用に決めることができるところ、６俵のところでは背側板４は２枚，９俵では３枚，１２俵では４枚とする。
【００１３】
７は前記左側板１の反対側に用意する右側板で、この右側板の後側端面部８の上下両側部には掛止め爪９，９を設け、この掛止め爪は前記背側板の一端面部５の上下両側部に設けた通孔３，３に掛止めるように成る。
【００１４】
１０は前記左右両側板１，７及び背側板４・・・の連結によって構成された包囲部の底面部に配置する底板で、この底板の後端部は前記背側板群の各下端部に連結され、その左右両端部は左右両側板の下端部との間にビス止めして連結される。
【００１５】
１１は底板１０を連結して組立てた前記左右両側板１，７及び背側板４・・・から成る包囲部分の天井に載置する天板で、この天板の左右両端部は前記左右両側板の端面部からビス止めして連結する。
【００１６】
１２，１２・・は前記左右両側板１，７の前端部と底板１０と天板１１の各正面角部に設けた補強用のＬ金具で、この各Ｌ金具に近接して半蝶番１３，１３・・を設ける。
【００１７】
１４，１４は前記左右両側板１，７の両前端部及び底板と天板の両前端部の前方部に配置する扉板で、この扉板の後端部には他の半蝶番１３'，１３'・・を設け、この半蝶番１３'は前記半蝶番１３に係合する。
【００１８】
１５は前記底板９上に配置するすの子である。
【図面の簡単な説明】
【００１９】
【図１】要部の組立て関係を示した正斜視図
【図２】他要部の組立て関係を示した正斜視図
【図３】他要部の組立て関係を示した正斜視図
【図４】他要部の組立て関係を示した正斜視図
【図５】他要部の組立て関係を示した正斜視図
【図６】一要部の平断面図
【図７】他要部の組立て関係を示した正斜視図
【図８】他要部の組立て関係を示した正斜視図
【図９】全体の一組立て後の正斜視図
【図１０】全体の組立て中の正斜視図
【図１１】全体の組立て後の正斜視図
【図１２】全体の組立て後の背斜視図
【符号の説明】
【００２０】
１                    左側板
２                    後側端面部
３，３                通孔
４・・                背側板
５                    一端面部
６，６                掛止め爪
７                    右側板
８                    後側端面部
９，９                掛止め爪
１０                  底板
１１                  天板
１２，１２            Ｌ金具
１３，１３            半蝶番
１３'，１３'          半蝶番
１４，１４            扉板
１５                  すの子
【図１】
0003127115.tif 000003
【図２】
0003127115.tif 000004
【図３】
0003127115.tif 000005
【図４】
0003127115.tif 000006
【図５】
0003127115.tif 000007
【図６】
0003127115.tif 000008
【図７】
0003127115.tif 000009
【図８】
0003127115.tif 000010
【図９】
0003127115.tif 000011
【図１０】
0003127115.tif 000012
【図１１】
0003127115.tif 000013
【図１２】
0003127115.tif 000014
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
左右両側部に立設する両側板の各後側端面部の上下両側部に、通孔又は掛止め爪をそれぞれ相対位置に設け、この左右両側板の直角部に配置する背側板の左右両端面部の上下両側部に掛止め爪又は通孔を設け、前記左右両側板側の通孔には背側板板側の掛止め爪を掛止め、背側板側の掛止め爪には隣接する背側板の通孔を掛止め、左右両側板間に必要数の背側板を並列して成ることを特徴とする穀物保管庫。 
【手続補正２】
【補正対象書類名】明細書
【補正対象項目名】０００５
【補正方法】変更
【補正の内容】
【０００５】
本考案は、左右両側部に立設する両側板の各後側端面部の上下両側部に、通孔又は掛止め爪をそれぞれ相対位置に設け、この左右両側板の直角部に配置する背側板の左右両端面部の上下両側部に掛止め爪又は通孔を設け、前記左右両側板側の通孔には背側板側の掛止め爪を掛止め、背側板側の掛止め爪には隣接する背側板の通孔を掛止め、左右両側板間に必要数の背側板を並列して成るものである。 
【手続補正３】
【補正対象書類名】明細書
【補正対象項目名】００１１
【補正方法】変更
【補正の内容】
【００１１】
４・・は前記左側板１に隣接する直角部及び並列に配置する背側板で、この背側板の一端面部５の上下両側部には、前記左側板１の端面部に設けた通孔３，３の相対位置に掛止め爪６，６を設け、または隣接する背側板４の端面部の相対する位置に通孔３，３を設ける。